(57)【要約】      （修正有）【課題】外出先で地図の倍率を変更して参照したりするルーペや、周辺の看板、標識を、倍率を変えて視認しやすい望遠鏡を、手軽に持ち運び出来る組合せ式のレンズセットとして提供する。【解決手段】複数の枠付レンズ１０〜３０を有し、少なくとも２つの前記枠付レンズの枠１１〜３１は、相互に勘合する形状をなしている。各枠付レンズの枠は、複数種の組み合わせで前記枠付レンズを相互に勘合可能である。枠を弾性部材とし、弾性力を利用して勘合固定を可能としてもよい。枠付レンズの枠周辺に、伸縮竿を設けて、各枠付レンズの間隔を調整可能としてもよい。【選択図】図１
0003171298.tif 000002
【実用新案登録請求の範囲】
【請求項１】
複数の枠付レンズを有し、
少なくとも２つの前記枠付レンズの枠は、相互に勘合する形状をなしていること
を特徴とするレンズセット。
【請求項２】
請求項１に記載のレンズセットであって、
前記枠を弾性部材とし、弾性力を利用して勘合固定を可能としたこと
を特徴とするレンズセット。
【請求項３】
複数の枠付レンズを有し、
前記枠付レンズの枠周辺に、伸縮竿を設けて、各枠付レンズの間隔を調整可能としたこと、
を特徴とするレンズセット。
【請求項４】
請求項１から３のいずれか一項に記載のレンズセットであって、
枠付レンズの数を、３枚としたこと、
を特徴とするレンズセット。
【請求項５】
請求項１から４の何れか一項に記載のレンズセットであって、
枠付レンズの倍率をそれぞれ異なるものとしたこと、
を特徴とするレンズセット。
【請求項６】
請求項１から５の何れか一項に記載のレンズセットであって、
２枚のレンズ蓋を有し、
前記各枠付レンズ及び前記２枚の蓋を１つに組み合わせたときに、円筒形状となること、
を特徴とするレンズセット。
【請求項７】
請求項１から６の何れか一項に記載のレンズセットであって、
ルーペ、顕微鏡、望遠鏡としての用途としたこと、
を特徴とするレンズセット。
【考案の詳細な説明】
【技術分野】
【０００１】
本考案は、レンズセットに関する。
【背景技術】
【０００２】
高齢者にとって文字や地図を見るのにルーペは欠かすことが出来ない。地図は持ち運びが便利に出来ているが、多くの情報を入れるために細かく描かれ、外出先で地図を見る時にルーペが必要となる。また、近眼者にとって、案内板や看板等を見つけるのが難しくなる。まして、弱視者にとっては尚更の事である。
【０００３】
このような事から、外出時に地図や、案内を記載した書物などを参照する為に、虫眼鏡が必要とされ、遠くの案内板を確認するには、望遠鏡や双眼鏡が欲しいのが現状である。しかしながら、いつでも持ち運ぶには邪魔であると共に、都会で望遠鏡や、双眼鏡を覗いていると、怪しく見られる等の問題が有る。また、外出先での植物観察等に顕微鏡があると便利である。
【０００４】
一般に複数のレンズを扇状に軸で組合せたルーペがあり、レンズの重ねを変える事により倍率を変える事が出来る。しかし、顕微鏡や望遠鏡としては使えない。
【０００５】
一方で、特許文献１には顕微鏡にもなる、折り畳みルーペが開示されている。
【先行技術文献】
【特許文献】
【０００６】
【特許文献１】実用新案登録３１４７０５８号公報
【考案の概要】
【考案が解決しようとする課題】
【０００７】
特許文献１のルーペでは、望遠鏡として使用できず、携帯性も損なっている。
【０００８】
そこで本考案は、携帯しやすく、ルーペ、顕微鏡、望遠鏡として使え、さらに、望遠鏡として使用時に、望遠鏡らしく見えない便利なレンズセットを提供することを目的とする。
【課題を解決するための手段】
【０００９】
上記課題を解決するために、本考案のレンズセットは複数のレンズを結合、取り外し、又は、レンズ間の位置関係を変更可能な形状をなし、ルーペ、顕微鏡、望遠鏡の機能とすると共に、組合せにより倍率を変更可能とすることを特徴とする。
【００１０】
例えば、本考案のレンズセットは、複数の枠付レンズを有し、少なくとも２つの前記枠付レンズの枠は、相互に勘合する形状をなしている。各枠付レンズの枠は、複数種の組み合わせ及び配置で前記枠付レンズを相互に勘合可能な構造を有する。
【００１１】
また、本考案のレンズセットは、複数の枠付レンズを有し、前記枠付レンズの枠周辺に、伸縮竿を設けて、各枠付レンズの間隔を調整可能とした。
【考案の効果】
【００１２】
本考案によれば、一つのレンズセットで安価にルーペ、簡易の顕微鏡、望遠鏡の機能がえられる。さらに、外出時等に持ち運びやすく、利便性を提供できる。
【図面の簡単な説明】
【００１３】
【図１】（ａ）、（ｂ）は、本考案の第一の実施形態に係るレンズセットの組合せ使用説明図である。（ｃ）は、結合を外した状態の説明図である。
【図２】（ａ）〜（ｇ）本考案の第一の実施形態に係るレンズセットの組合せの種類説明図である。
【図３】本考案の第一の実施形態に係るレンズセットの望遠鏡として使用図である。
【図４】（ａ）〜（ｃ）本考案の第一の実施形態に係るレンズセットの望遠鏡として使用時の組合せ説明図である。
【図５】（ａ）本考案の第一の実施形態の変形例に係るレンズセットの組合せ使用説明図である。（ｂ）勘合部の構造を説明するための図である。
【図６】（ａ）〜（ｄ）本考案の第二の実施形態に係るレンズセットの組合せ使用説明図である。
【図７】本考案の第三の実施形態に係るレンズセットの組合せ使用説明図である。
【図８】本考案の第四の実施形態に係るレンズセットの外観図である。
【図９】（ａ）本考案の第五の実施形態に係るレンズセットの断面図、および（ｂ）その組み合わせ時の外観である。
【考案を実施するための形態】
【００１４】
本考案の実施の形態について、以下、図に基づいて説明する。
＜第一の実施形態＞
図１は、本考案の第一の実施形態に係るレンズセットの一部断面図（光軸を通る断面図）による説明図である。
【００１５】
図１（ａ）に示すように、レンズセット１は、枠付レンズ大１０、枠付レンズ中２０、枠付レンズ小３０を備えている（以下、単に「大」、「中」、「小」略すことがある）。それぞれ、円盤状の大レンズ１０Ｌ、中レンズ２０Ｌ、小レンズ３０Ｌを、リング状の枠１１、２１、３１でその縁を覆った形状をなしている。
【００１６】
レンズ１０Ｌ、２０Ｌ、３０Ｌは、ガラスやプラスチックで形成された、所定の倍率（例えば、２倍、３倍、４倍）のレンズである。両眼で観察できる程の視野を得るために、非球面レンズとすることができる。また、収差を減らした複層密着型レンズであってもよい。枠１０、２０、３０は、やや弾力性のあるブタジエンゴム、シリコンゴム、ポリウレタン、エラストマーなどで構成される。弾性力を持たせる事により、枠にレンズをはめ込む際に、ネジ締め等でレンズを取り付ける必要がなく、特段のレンズの取り付け機構がいらない。また、後から容易に押し込みはめ込む事が出来る。また、落下時には弾性力のある外枠がレンズを衝撃からまもる。
【００１７】
図示するように、枠付レンズ大１０の内枠１１ｂに、枠付レンズ中２０の外枠２１ａが、勘合する様に、それぞれの枠１１、２１が形成されている。さらに、枠付レンズ中２０の内枠２１ｂに、枠付レンズ小３０の外枠３１aが、勘合する様に、それぞれの枠２１、３１が形成されている。
【００１８】
さらに、図１（ｂ）に示すように、枠付レンズ大１０の他方の内枠１１ａに、枠付レンズ小３０の外枠３１ａが、勘合する様に、それぞれの枠１１、３１が形成されている。このような枠１１、２１、３１を有することで、勘合・取り外しが容易になり、レンズの組合せを変更する事により、レンズの焦点距離に応じた倍率の組合せが可能となるものである。
【００１９】
図１（ｃ）は勘合のための形状の一例を示し、枠付レンズ小３０の外枠３１ａには勘合の為の複数の凸部リブ３１ｂが付されている。これにより、勘合したときの固定強度が増し、外れにくい構造となる。
【００２０】
図２は、本考案の第一の実施形態に係るレンズセット１の枠付レンズ１０、２０、３０組み合わせによる倍率の変化を説明する図である。ここで示す倍率は一例として概略で説明する。複数レンズを重ねたときの倍率は、各レンズの合成焦点距離から求められる。おおよその倍率は、レンズの倍率から「１」を引いた各レンズの倍率を合計し、さらに「１」を加えて求めることができる。枠付レンズ大１０の倍率は２倍（焦点距離約２４０ｍｍ）、枠付レンズ中２０は３倍（焦点距離約１２０ｍｍ）、枠付レンズ小３０は４倍（焦点距離８０ｍｍ）とすると、図５（ａ）は大、中、小を重ねて約７倍の倍率、（ｂ）は中、小を重ね約６倍の倍率、（ｃ）は大、小を重ね約５倍、（ｄ）は、小のみで４倍、（ｅ）が大中を重ね４倍、（ｆ）は中で３倍、（ｇ）は大で２倍の倍率が得られる、このように、大中小の３枚を組み合わせることにより、多くの倍率がえられるものである。このように対象物に応じて倍率を変化させて見ることができるルーペとなる。
【００２１】
また、図３に示すように、大を対物レンズ、中、小を重ねて接眼レンズとする事で、望遠鏡とする事が出来る。この図が示す様に、望遠鏡として覗いているイメージが少なく、町中でも違和感が少ない。
【００２２】
また、この時に上記倍率の各レンズを使用すると、対物レンズは２４０ｍｍ、枠付レンズ中２０（焦点距離約１２０ｍｍ）、枠付レンズ小３０（焦点距離８０ｍｍ）から、接眼レンズの焦点距離は約５０ｍｍとなり、約５倍の望遠鏡が得られる。接眼レンズを小のみとすれば、約３倍の倍率が得られるものである。
【００２３】
図４には、望遠鏡とした場合の倍率の変化を示し、３種類の場合を記した。ここでは、対物レンズを大のみとして使用しているが、中を対物レンズとする事により、もっと、組合せは増大する。上記顕微鏡に付いても同じ様な事が言えるが、ここでは省略する。
【００２４】
＜変形例１＞
図５（ａ）は、本考案の変形例１に係るレンズセット１を示す。図５（ｂ）は、その勘合部の構造を説明するための図である。枠付レンズ大１０の枠１１の内側に設けられたＬ字の溝１１ｄに、枠付レンズ中２０の外枠２１の面に設けられた凸部２１ｐが勘合し、押し込み後、回転するとロックされるように構成されている。ここでは勘合部（溝１１ｄと凸部２１ｐ）は一カ所であるが、数カ所に設けるのが望ましく、勘合部にマークを表示し、はめ合わせの位置を明示するのが望ましい。
＜第二の実施形態＞
図６は、本考案の第二の実施形態に係るレンズセット２の説明図である。
【００２５】
図６（ａ）〜（ｃ）に示すように、レンズセット２はレンズ５０Ｌ，６０Ｌ，７０Ｌを枠５１、６１、７１で覆った、枠付レンズ大５０、枠付レンズ中６０、枠付レンズ小７０を備える（以下、単に「大」、「中」、「小」略すことがある）。中５０の内枠６１ａには、小７０の外枠７１ａを勘合することができる。
【００２６】
大、中の枠５１、６１の周囲には取り外し可能なロッドアンテナ状の伸縮可能な伸縮竿８０を取り付け、スライド出来る三カ所の接合穴６１ｈ、５１ｈを有している。図示しないが伸縮竿８０の両脇には、多少の段差を設け、抜けにくくすると共に、接合穴５１ｈ、６１ｈ内部には板状のスプリングでこの段差に当たり、稼動を制限するように構成しても良い。また、伸縮竿８０の途中に、目盛を示す線や、目盛、停止を促す段差や、停止位置マークを設けても良い。
【００２７】
図６（ｂ）は、伸縮竿８０を縮めた状態で、大５０、をロッドの片側によせ、小７０を外した状態でルーペ機能としての使用する場合を示す。
【００２８】
図６（ｃ）は、大５０を上部に取り付け、下部に中６０を取り付け、さらに、中６０に小７０を勘合させた状態を示し、顕微鏡として使用する場合を示す。
【００２９】
図６（ｄ）は図に向かって左側に大５０、伸縮竿８０を最大に伸ばし、右側に中６０、中６０に小７０を勘合させた状態を示し、望遠鏡として、図に向かって左側を対物レンズ、右側を接眼レンズとして使用する場合を示す。
＜第三の実施形態＞
図７は、本考案の第三の実施形態に係るレンズセットの説明図である。
【００３０】
図７に示すように、レンズセット３はレンズの縁を枠５１、６１、７１で覆った、枠付レンズ大５０、中６０、小７０を備え、各枠５１，６１，７１の周辺にロッド状の把手５５、６５、７５を設け、各枠付レンズ５０、６０、７０は把手により勘合を行う。把手５５，６５，７５には、互いに勘合可能な凸部５６、６６、７６と凹部５７，６７，７７が設けられている。これらの勘合構造により、各レンズの組合せが可能であると共に、複数のレンズ５０Ｌ，６０Ｌ、７０Ｌの光軸がずれることなく重ね合わせることができる。
【００３１】
例えば、大＋中＋小、大＋中、大＋小、などの組み合わせで重ね合わせて使用することができる。もちろん、図３に示したように、大を左手に、重ね合わせた（中＋小）を、右手に持って、所定の距離を置いて、光軸を合わせることで、望遠鏡として使用することもできる。
＜第四の実施形態＞
図８は、本考案の第四の実施形態に係るレンズセット４の説明図である。
【００３２】
上記第一の実施形態と同様に、枠付レンズ大１０、中２０、小３０を有している。さらに、レンズを保護するために、枠付レンズ大１０の内枠１１ａに勘合する円盤状の蓋９１と、枠付レンズ小３０の外枠３１ａに被せることが可能な底付扁平円筒形状の蓋９２とを備える。
【００３３】
これらの蓋９１、９２があれば、不使用時において他の物との接触による光学系の損傷を防止できる。
＜第五の実施形態＞
図９は、本考案の第五の実施形態に係るレンズセット５の説明図である。
【００３４】
上記第一の実施形態と同様に、枠付レンズ大１０、中２０、小３０を有している。それぞれの枠１１、２１、３１の大きさは略同じであり、レンズ１０Ｌ、２０Ｌ、３０Ｌに対して一方側（図９中、左側）の枠の外径１１ｍ、２１ｍ、３１ｍが、他方側（図９中、右側）の枠の内径１１ｎ、２１ｎ、３１ｎと略同じになるように構成されている。従って、枠付レンズ大１０、中２０、小３０、をいかなる順番の組み合わせでも嵌め合うことができ、光軸がずれることなく固定される。
さらに、縁の内径９３ｎが外径１１ｍに相当する縁付き円盤状の蓋９３と、縁の外径９４ｍが内径３１ｎに相当する円盤状の蓋９４を備え、不使用時の光学系の損傷を防止できるようになっている。
【００３５】
それぞれの枠１１、２１、３１、及び蓋９３、９４は、シリコンゴム、ポリウレタン、エラストマーなどの弾性材料で形成することができる。なお、外径１１ｍ、２１ｍ、３１ｍに雄ネジを形成し、内径１１ｎ、２１ｎ、３１ｎに雌ネジを形成し、各枠付レンズ１０、２０、３０を、螺合により勘合できるようにしてもよい。
【００３６】
３つの枠付レンズ大１０、中２０、小３０を勘合させて、さらに蓋９１、９２を嵌めれば、円筒状の塊となり外観上美しく、携帯に便利なコンパクトなレンズセット５となる。
【００３７】
以上、いくつかの実施形態について説明したが、各レンズの勘合方法や、各レンズの接合方法は色々な形状に変化させることが出来るのは言うまでもない。
【符号の説明】
【００３８】
１０、５０：枠付レンズ大
２０、６０：枠付レンズ中
３０、７０：枠付レンズ小
１０Ｌ，２０Ｌ、３０Ｌ，５０Ｌ、６０Ｌ，７０Ｌ：レンズ
１１、２１、３１、５１、６１、７１：枠
１１ａ、１１ｂ、２１ｂ、６１ａ：内枠
２１ａ、３１ａ、７１ａ：外枠
３１ｂ：凸部リブ
５１ｈ、６１ｈ：接合穴
８０：伸縮竿
５５、６５、７５：把手
５６、６６、７６：凸部
５７、６７、７７：凹部
１１ｍ、２１ｍ、３１ｍ：外径
１１ｎ、２１ｎ、３１ｎ：内径
９１、９２、９３、９４：蓋
９３ｎ：内径、９４ｍ：外径
【図１】
0003171298.tif 000003
【図２】
0003171298.tif 000004
【図３】
0003171298.tif 000005
【図４】
0003171298.tif 000006
【図５】
0003171298.tif 000007
【図６】
0003171298.tif 000008
【図７】
0003171298.tif 000009
【図８】
0003171298.tif 000010
【図９】
0003171298.tif 000011
【手続補正書】
【提出日】平成23年8月23日(2011.8.23)
【手続補正１】
【補正対象書類名】実用新案登録請求の範囲
【補正対象項目名】全文
【補正方法】変更
【補正の内容】
【実用新案登録請求の範囲】
【請求項１】
複数の枠付レンズを有し、
少なくとも２つの前記枠付レンズの枠は、相互に勘合する形状をなしていること
を特徴とするレンズセット。
【請求項２】
請求項１に記載のレンズセットであって、
前記枠を弾性部材とし、弾性力を利用して勘合固定を可能としたこと
を特徴とするレンズセット。
【請求項３】
請求項１に記載のレンズセットであって、
前記枠付レンズの枠周辺に、伸縮竿を設けて、各枠付レンズの間隔を調整可能としたこと、
を特徴とするレンズセット。
【請求項４】
請求項１から３の何れか一項に記載のレンズセットであって、
枠付レンズの数を、３枚としたこと、
を特徴とするレンズセット。
【請求項５】
請求項１から４の何れか一項に記載のレンズセットであって、
枠付レンズの倍率をそれぞれ異なるものとしたこと、
を特徴とするレンズセット。
【請求項６】
請求項１から５の何れか一項に記載のレンズセットであって、
２枚のレンズ蓋を有し、
前記各枠付レンズ及び前記２枚の蓋を１つに組み合わせたときに、円筒形状となること、
を特徴とするレンズセット。
【請求項７】
請求項１から６の何れか一項に記載のレンズセットであって、
ルーペ、顕微鏡、望遠鏡としての用途としたこと、
を特徴とするレンズセット。